(57)【要約】【課題】ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めたディスク装置の電力供給診断方法及び光ディスク装置を提供することを目的とする。【解決手段】本発明のディスク装置の電力供給診断方法は、光ディスク装置１００がＵＳＢケーブル５１でコンピュータ２０と接続され、かつコンピュータ２０からの複数の電力供給モードで駆動試験をされることにより、光ディスク装置１００とコンピュータ２０を結ぶ接続手段（専用ＵＳＢケーブル５１またはコンバインＵＳＢケーブル５２）のうち使用可能な接続手段が決定されることを特徴とする。【選択図】図１
2006215607.tif 000002
【特許請求の範囲】
【請求項１】
ディスク装置が電力伝達機能と信号伝達機能を兼ね備えた単一の接続手段で他の電子機器と接続され、かつ前記他の電子機器からの複数の電力供給モードで駆動試験をされることにより、前記ディスク装置と前記他の電子機器を結ぶ接続手段のうち使用可能な接続手段が決定されることを特徴とするディスク装置の電力供給診断方法。
【請求項２】
前記ディスク装置と前記他の電子機器を結ぶ接続手段のうち使用可能な接続手段は、ディスク装置が電力伝達機能と信号伝達機能を兼ね備えた単一の接続手段を他の電子機器に１回のみ接続することで決定されることを特徴とする請求項１に記載のディスク装置の電力供給診断方法。
【請求項３】
前記複数の電力供給モードで行なわれる駆動試験は、１つの電力供給モードに対して、前記ディスク装置が動作可能な回転駆動手段の回転速度の少なくとも１つの駆動試験を行なうことを特徴とする請求項１、２いずれか１項に記載のディスク装置の電力供給診断方法。
【請求項４】
前記ディスク装置と前記他の電子機器を結ぶ接続手段のうち使用可能な接続手段は、前記他の電子機器からの複数の電力供給モードで行なわれる駆動試験の際に、前記他の電子機器がディスク装置に供給する電力を切断した電力供給モードを検出して決定されることを特徴とする請求項１〜３いずれか１項に記載のディスク装置の電力供給診断方法。
【請求項５】
前記ディスク装置は、光ディスク装置であることを特徴とする請求項１〜４いずれか１項に記載のディスク装置の電力供給診断方法。
【請求項６】
前記接続手段は、ＵＳＢ（ユニバーサル・シリアル・バス）であり、前記接続手段により接続される他の電子機器はコンピュータであることを特徴とする請求項１〜５いずれか１項に記載のディスク装置の電力供給診断方法。
【請求項７】
前記請求項１〜６いずれか１項に記載の電力供給診断方法で前記ディスク装置と前記他の電子機器を結ぶ接続手段のうち使用可能な接続手段が決定されることを特徴とするディスク装置。
【請求項８】
光ディスクを回転させる回転駆動手段と、
光ディスクに対して情報の記録又は再生の少なくとも一方を行なうピックアップと、
電力伝達機能と信号伝達機能を兼ね備えた接続手段と
を備えた光ディスク装置であって、
前記光ディスク装置は、電力伝達機能と信号伝達機能を兼ね備えた単一の接続手段で他の電子機器と接続され、かつ、前記他の電子機器からの複数の電力供給モードで駆動試験をされることにより、前記光ディスク装置と前記他の電子機器を結ぶ接続手段のうち使用可能な接続手段が決定されることを特徴とする光ディスク装置。
【請求項９】
光ディスクを回転させる回転駆動手段と、
光ディスクに対して情報の記録又は再生の少なくとも一方を行なう光ピックアップと、
電力伝達機能と信号伝達機能を兼ね備えた接続手段と
を備えた光ディスク装置において実行されるコンピュータプログラムであって、
前記コンピュータプログラムは、前記光ディスク装置が電力伝達機能と信号伝達機能を兼ね備えた単一の接続手段で他の電子機器と接続された状態において、
前記光ディスク装置に対して、前記他の電子機器からの複数の電力供給モードで駆動試験をすることにより、前記光ディスク装置と前記他の電子機器を結ぶ接続手段のうち使用可能な接続手段を決定させることを特徴とするコンピュータプログラム。
【発明の詳細な説明】
【技術分野】
【０００１】
本発明は、記録媒体に情報の記録または再生の少なくとも一方を行うディスク装置の電力供給診断方法及び光ディスク装置に関するものである。
【背景技術】
【０００２】
コンピュータ等の電子機器に接続して使用する周辺機器には、接続したコンピュータ等の電子機器から電力供給を受けることが出来るものがある。例えば、ユニバーサル・シリアル・バス（以下「ＵＳＢ」と称す）は電源バスを有しているため、この電源バスにて電力供給を受けているディスク装置がある。
【０００３】
ここでは、ＵＳＢケーブルにて電力供給可能な従来の光ディスク装置を例として、図を用いて説明する。
【０００４】
図７は、従来のＵＳＢ接続による外付けタイプの光ディスク装置のブロック図である。図７において、１は光ディスク、２はフィードモータ、３はスピンドルモータ、４はピックアップユニット、５はアナログ信号処理部、６はモータ駆動回路、７はアクチュエータ駆動回路、８は駆動系電源回路、９はＣＤサーボプロセッサ、１０はデジタル信号処理部、１１はバッファメモリ、１２はインターフェース部、１３はメインメモリ、１４はＣＰＵ、１５はシステムバス、１７はＵＳＢ変換ＩＣ、１８はＵＳＢ信号、１９はＵＳＢコネクタ、２０はコンピュータ、２１はＡＣアダプター、２２はＤＣジャック、２３はＤＣ電源、２４は電源端子ＶＢＵＳ、２５は電源起動回路、２６はデジタル系電源回路、３０はＥＥＰＲＯＭ、５１はＵＳＢケーブル、１００は光ディスク装置である。
【０００５】
図７において、破線内が光ディスク装置１００であり、ＵＳＢコネクタ１９によりコンピュータ２０と外部接続できるようになっている。
【０００６】
光ディスク装置１００は、光ディスク１を駆動するスピンドルモータ３と、光ディスク１に対して記録および再生を行うピックアップユニット４を駆動するフィードモータ２と、フィードモータ２およびスピンドルモータ３を駆動制御するモータ駆動回路６を有している。ピックアップユニット４は、アクチュエータ駆動回路７で駆動される。モータ駆動回路６、アクチュエータ駆動回路７をサーボ制御するものがＣＤサーボプロセッサ９である。また、モータ駆動回路６に電力を供給するのが駆動系電源回路８である。
【０００７】
また、光ディスク装置１００は、記憶領域、記録制御、再生制御に必要な記憶領域として使用されるバッファメモリ１１と、制御プログラム、ならびに光ディスク記録装置のための記録制御プログラムを記憶したプログラム記憶エリアを有するメインメモリ１３と、論理判断や演算を行うＣＰＵ１４を有している。
【０００８】
光ディスク１とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果がバッファメモリ１１へ格納される。このバッファメモリ１１は記録データ、および復調したデータを一時記憶するためのメモリとして機能する。
【０００９】
ＵＳＢ変換ＩＣ１７は、受けたＡＴＡＰＩ信号をＵＳＢ信号１８へ変換し、ＵＳＢコネクタ１９を通し、ＵＳＢケーブルによって外部のコンピュータ２０と接続されデータの受け渡しを行う。ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）３０は、書き換え可能な不揮発メモリであり、コンピュータがＵＳＢ機器を識別するために使用される個々のＵＳＢ機器に固有のディスクリプタ情報が格納されている。
【００１０】
システムバス１５は、光ディスク装置１００内でのデータ転送用バスである。メインメモリ１３に記録されたプログラムにより、ＣＰＵ１４がデジタル信号処理部１０の制御を行う。デジタル系電源回路２６はＣＰＵ１４、デジタル信号処理部１０、メインメモリ１３等、デジタル系信号処理部に対し各種の電圧を安定供給する。
【００１１】
これらの装置を動かす回路部分へ供給される電圧は、ＡＣアダプター２１でＡＣ１００Ｖから例えばＤＣ６Ｖへ変換され、ＤＣジャック２２より光ディスク装置１００へ供給される。電源起動回路２５はＵＳＢコネクタ１９の電源端子ＶＢＵＳ２４の電圧に連動し、光ディスク装置１００の駆動系電源回路８、デジタル系電源回路２６に電圧を供給するもので、ＵＳＢ電源のＯＮ／ＯＦＦに連動し自動的に光ディスク装置１００を起動及び終了させる。
【００１２】
また、電力供給方法には、上記ＡＣアダプター２１からの供給以外に、ＵＳＢコネクタ１９からの単独供給による場合もある。この場合、ＡＣアダプター２１を接続しなくても、コンピュータ２０接続側のＵＳＢコネクタが１個のＵＳＢケーブル５１または２個のＵＳＢケーブル５２で、コンピュータ２０と光ディスク装置１００が接続されることにより、ＵＳＢケーブル５１やＵＳＢケーブル５２経由でコンピュータ２０から電力供給が可能となる。接続されるＵＳＢケーブル５１やＵＳＢケーブル５２は、コネクタ１９の１個当たりの電流供給能力が規格上５００ｍＡと決まっているが、実使用状態でのコネクタ１９の１個当たりの電流供給能力は光ディスク装置１００の消費電流やコンピュータ２０の電力供給能力により異なる場合があるため、その必要な個数については光ディスク装置１００とコンピュータ２０の組み合わせにより異なることがある。
【００１３】
先行例としては、（特許文献１）等がある。
【特許文献１】特開２００３−１４０７８４号公報
【発明の開示】
【発明が解決しようとする課題】
【００１４】
電力伝達機能と信号伝達機能を兼ね備えた接続手段を有する光ディスク装置では、ＡＣアダプター２１を接続しなくても、ＵＳＢケーブル５１、ＵＳＢケーブル５２などの電力伝達機能と信号伝達機能を兼ね備えた接続手段をコンピュータ２０に接続することにより、動作を行なうことが可能となるものがある。
【００１５】
図８は、外付けタイプの光ディスク装置とコンピュータの接続を示す図であり、図８（ａ）は外付けタイプの光ディスク装置とコンピュータをコンピュータ接続側のＵＳＢコネクタが１個のＵＳＢケーブルで接続した場合であり、図８（ｂ）は外付けタイプの光ディスク装置とコンピュータをコンピュータ接続側のＵＳＢコネクタが２個のＵＳＢケーブルで接続した場合である。図８において、２０はコンピュータ、５１はＵＳＢケーブル、５１ａはＵＳＢコネクタ、５２はＵＳＢケーブル、５２ａ、５２ｂはＵＳＢコネクタ、１００は光ディスク装置である。コンピュータ２０接続側にＵＳＢコネクタが２個設けられたＵＳＢケーブル５２は、コンバインケーブルと呼ばれ、ケーブルの片方に設けられた２つのＵＳＢコネクタ５２ａ、ＵＳＢコネクタ５２ｂをコンピュータの２つのＵＳＢコネクタ１９に接続することにより、コンピュータ２０接続側にＵＳＢコネクタが１個のＵＳＢケーブル５１より大きな電流を、光ディスク装置１００に供給することができる。
【００１６】
光ディスク装置１００とコンピュータ２０を結ぶＵＳＢケーブルは、光ディスク装置１００の消費電流やコンピュータ２０の電流供給能力により必要な電流供給量が異なるため、図８（ａ）に示すコンピュータ２０接続側にＵＳＢコネクタが１個設けられたＵＳＢケーブル（以下、専用ＵＳＢケーブル）５１と図８（ｂ）に示すコンピュータ２０接続側にＵＳＢコネクタが２個設けられたＵＳＢケーブル（以下、コンバインＵＳＢケーブル）５２を使い分ける必要がある。
【００１７】
これは、上述のいずれの場合においても、コンバインＵＳＢケーブル５２を使用した場合、ＵＳＢコネクタ１９の空きが少ないコンピュータで使用する場合、ＵＳＢマウスやＵＳＢメモリ等のＵＳＢ機器の使用が制約を受ける場合があるためである。
【００１８】
専用ＵＳＢケーブル５１とコンバインＵＳＢケーブル５２を使い分けるためには、光ディスク装置１００の消費電流やコンピュータ２０の電力供給能力を判定する必要があるが、これにはＵＳＢバスパワー診断ツールというプログラムを用いる。
【００１９】
現在一般的に使用されているＵＳＢバスパワー診断ツールは、専用ＵＳＢケーブル５１か、もしくはコンバインＵＳＢケーブル５２を一度コンピュータ２０に実際に接続して、接続されている専用ＵＳＢケーブル５１かコンバインＵＳＢケーブル５２が使用可能か否かを判定する。このため、専用ＵＳＢケーブル５１を接続して使用不可と診断された場合には、改めてコンバインＵＳＢケーブル５２を接続し直し、再度診断する必要がある。
【００２０】
これは、使用者にとって二度手間であり、また、実使用できるか否かが判らないコンバインＵＳＢケーブル５２をＵＳＢバスパワー診断のために準備する必要も生じるため、費用的にも不利となる。
【００２１】
以下、従来のＵＳＢバスパワー診断モードについて説明する。
【００２２】
ＵＳＢバスパワー動作モードとしては、ＡＣアダプター２１を使用する時よりも書込み速度や読出し速度などを落として省電力で動作させる一般的なＵＳＢバスパワーモードと、ＵＳＢバスパワー診断ツールでのみ使用するＵＳＢバスパワー診断モードの２種類がある。
【００２３】
ＵＳＢバスパワー診断モードでは、ＡＣアダプター２１が接続されていなくても、ＡＣアダプター２１が接続されている時と同じ書込み速度や読み込み速度を使用した制御を行なうことにより、コンピュータ２０からＡＣアダプター２１使用時と同等の電流を引き出す。ＵＳＢバスパワー診断ツールでは、この診断モードで光ディスク装置１００を駆動させ、正常に動作するか否かをチェックする。すなわち、コンピュータ２０は、光ディスク装置１００がＵＳＢバスパワー診断モードで駆動するのに必要な電流を要求されても、光ディスク装置１００を切断しないのであれば、一般的なＵＳＢバスパワーモードでは余裕を持って動作する（使用可能）と判定している。
【００２４】
しかし逆に、ＵＳＢバスパワー診断モードはおろか、一般的なＵＳＢバスパワーモードで動作させても切断してしまうコンピュータ２０では、コンピュータ２０の電力供給能力を特定することができない。そのため、このようなコンピュータ２０では、専用ＵＳＢケーブル５１、もしくはコンバインＵＳＢケーブル５２のいずれか一方を使って、光ディスク装置１００を動作できるか否かを推測することはできなかった。
【００２５】
本発明は、このような従来の課題を解決するものであり、ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めたディスク装置の電力供給診断方法及び光ディスク装置を提供することを目的とする。
【課題を解決するための手段】
【００２６】
本発明は、上記課題を解決するためになされたものであって、ディスク装置が電力伝達機能と信号伝達機能を兼ね備えた単一の接続手段で他の電子機器と接続され、かつ他の電子機器からの複数の電力供給モードで駆動試験をされることにより、ディスク装置と他の電子機器を結ぶ接続手段のうち使用可能な接続手段が決定されることを特徴とするディスク装置の電力供給診断方法である。
【００２７】
また、本発明の光ディスク装置は、光ディスクを回転させる回転駆動手段と、光ディスクに対して情報の記録又は再生の少なくとも一方を行なうピックアップと、電力伝達機能と信号伝達機能を兼ね備えた接続手段とを備えた光ディスク装置であって、光ディスク装置が、電力伝達機能と信号伝達機能を兼ね備えた単一の接続手段で他の電子機器と接続され、かつ、他の電子機器からの複数の電力供給モードで駆動試験をされることにより、光ディスク装置と他の電子機器を結ぶ接続手段のうち使用可能な接続手段が決定されることを特徴とする光ディスク装置である。
【００２８】
さらに、本発明のコンピュータプログラムは、光ディスクを回転させる回転駆動手段と、光ディスクに対して情報の記録又は再生の少なくとも一方を行なう光ピックアップと、電力伝達機能と信号伝達機能を兼ね備えた接続手段とを備えた光ディスク装置において実行されるコンピュータプログラムであって、コンピュータプログラムは、光ディスク装置が電力伝達機能と信号伝達機能を兼ね備えた単一の接続手段で他の電子機器と接続された状態において、光ディスク装置に対して、他の電子機器からの複数の電力供給モードで駆動試験をすることにより、光ディスク装置と他の電子機器を結ぶ接続手段のうち使用可能な接続手段を決定させることを特徴とするコンピュータプログラムである。
【発明の効果】
【００２９】
本発明は上記構成により、ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。
【００３０】
そのため、ディスク装置と他の電子機器を結ぶ電力伝達機能と信号伝達機能を兼ね備えた接続手段の使用可能な接続手段を容易に決定することが可能となり、従来、無駄になっていた手間や費用を抑えることができ、使用者の利便性を高めたディスク装置の電力供給診断方法及び光ディスク装置を実現することができる。
【発明を実施するための最良の形態】
【００３１】
請求項１記載の発明は、ディスク装置が電力伝達機能と信号伝達機能を兼ね備えた単一の接続手段で他の電子機器と接続され、かつ他の電子機器からの複数の電力供給モードで駆動試験をされることにより、ディスク装置と他の電子機器を結ぶ接続手段のうち使用可能な接続手段が決定されることを特徴とするものである。ディスク装置が電力伝達機能と信号伝達機能を兼ね備えた単一の接続手段で他の電子機器と接続され、かつ他の電子機器からの複数の電力供給モードで駆動試験をされることにより、ディスク装置と他の電子機器を結ぶ接続手段のうち使用可能な接続手段が決定されることによって、ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。そのため、ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めたディスク装置の電力供給診断方法を実現することができる。
【００３２】
請求項２記載の発明は、ディスク装置と他の電子機器を結ぶ接続手段のうち使用可能な接続手段が、ディスク装置に対して電力伝達機能と信号伝達機能を兼ね備えた単一の接続手段を他の電子機器に１回のみ接続することで決定されることを特徴とするものである。ディスク装置と他の電子機器を結ぶ接続手段のうち使用可能な接続手段が、ディスク装置に対して電力伝達機能と信号伝達機能を兼ね備えた単一の接続手段を他の電子機器に１回のみ接続することで決定されることによって、複数の接続手段を接続し直す手間を省くことができる。
【００３３】
請求項３記載の発明は、複数の電力供給モードで行なわれる駆動試験が、１つの電力供給モードに対して、ディスク装置が動作可能な回転駆動手段の回転速度の少なくとも１つの駆動試験を行なうことを特徴とするものである。複数の電力供給モードで行なわれる駆動試験が、１つの電力供給モードに対して、ディスク装置が動作可能な回転駆動手段の回転速度の少なくとも１つの駆動試験を行なうことによって、ディスク装置と他の電子機器を結ぶ電力伝達機能と信号伝達機能を兼ね備えた接続手段のうち使用可能な接続手段の決定を緻密に行なうことができる。
【００３４】
請求項４記載の発明は、ディスク装置と前記他の電子機器を結ぶ接続手段のうち使用可能な接続手段が、他の電子機器からの複数の電力供給モードで行なわれる駆動試験の際に、他の電子機器がディスク装置に供給する電力を切断した電力供給モードを検出して決定されることを特徴とするものである。ディスク装置と他の電子機器を結ぶ接続手段のうち使用可能な接続手段が、他の電子機器からの複数の電力供給モードで行なわれる駆動試験の際に、他の電子機器がディスク装置に供給する電力を切断した電力供給モードを検出して決定されることによって、ディスク装置と他の電子機器を結ぶ接続手段のうち使用可能な接続手段の決定を容易に行なうことができる。
【００３５】
請求項５記載の発明は、ディスク装置が、光ディスク装置であることを特徴とするものである。ディスク装置が光ディスク装置であることによって、本発明の効果を最大限に発揮することができる。
【００３６】
請求項６記載の発明は、接続手段がＵＳＢ（ユニバーサル・シリアル・バス）であり、接続手段により接続される他の電子機器がコンピュータであることを特徴とするものである。接続手段がＵＳＢであり、接続手段により接続される他の電子機器がコンピュータであることによって、ディスク装置をＵＳＢにてコンピュータに接続する場合、ディスク装置はＵＳＢを電源とし電力の供給を受けるため、電力供給源の許容範囲の上限を容易に推定することができる。
【００３７】
請求項７記載の発明は、前記請求項１〜６いずれか１項に記載の電力供給診断方法でディスク装置と他の電子機器を結ぶ接続手段のうち使用可能な接続手段が決定されることを特徴とするものである。請求項１〜６いずれか１項に記載の電力供給診断方法でディスク装置と他の電子機器を結ぶ接続手段のうち使用可能な接続手段が決定されることによって、ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。そのため、ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めたディスク装置の電力供給診断方法を実現することができる。
【００３８】
請求項８記載の発明は、光ディスクを回転させる回転駆動手段と、光ディスクに対して情報の記録又は再生の少なくとも一方を行なうピックアップと、電力伝達機能と信号伝達機能を兼ね備えた接続手段とを備えた光ディスク装置であって、光ディスク装置が、電力伝達機能と信号伝達機能を兼ね備えた単一の接続手段で他の電子機器と接続され、かつ、他の電子機器からの複数の電力供給モードで駆動試験をされることにより、光ディスク装置と他の電子機器を結ぶ接続手段のうち使用可能な接続手段が決定されることを特徴とするものである。光ディスク装置が、電力伝達機能と信号伝達機能を兼ね備えた単一の接続手段で他の電子機器と接続され、かつ、他の電子機器からの複数の電力供給モードで駆動試験をされることにより、光ディスク装置と他の電子機器を結ぶ接続手段のうち使用可能な接続手段が決定されることによって、光ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。そのため、光ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めた光ディスク装置を実現することができる。
【００３９】
請求項９記載の発明は、光ディスクを回転させる回転駆動手段と、光ディスクに対して情報の記録又は再生の少なくとも一方を行なう光ピックアップと、電力伝達機能と信号伝達機能を兼ね備えた接続手段とを備えた光ディスク装置において実行されるコンピュータプログラムであって、コンピュータプログラムは、光ディスク装置が電力伝達機能と信号伝達機能を兼ね備えた単一の接続手段で他の電子機器と接続された状態において、光ディスク装置に対して、他の電子機器からの複数の電力供給モードで駆動試験をすることにより、光ディスク装置と他の電子機器を結ぶ接続手段のうち使用可能な接続手段を決定させることを特徴とするものである。本発明のコンピュータプログラムを光ディスク装置において実行することによって、光ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。そのため、光ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めた光ディスク装置を実現することができる。
【００４０】
（実施の形態１）
以下、本発明の一実施の形態について、ディスク装置の一例として光ディスク装置を用い、他の電子機器の一例としてコンピュータを用いて、図面を参照しながら説明する。
【００４１】
図１は、本発明の一実施の形態におけるＵＳＢ接続による外付けタイプの光ディスク装置のブロック図である。図１において、１は光ディスク、２はフィードモータ、３はスピンドルモータ、４はピックアップユニット、５はアナログ信号処理部、６はモータ駆動回路、７はアクチュエータ駆動回路、８は駆動系電源回路、９はＣＤサーボプロセッサ、１０はデジタル信号処理部、１１はバッファメモリ、１２はインターフェース部、１３はメインメモリ、１４はＣＰＵ、１５はシステムバス、１７はＵＳＢ変換ＩＣ、１８はＵＳＢ信号、１９はＵＳＢコネクタ、２０はコンピュータ、２１はＡＣアダプター、２２はＤＣジャック、２３はＤＣ電源、２４は電源端子ＶＢＵＳ、２５は電源起動回路、２６はデジタル系電源回路、３０はＥＥＰＲＯＭ、５１はＵＳＢケーブル、１００は光ディスク装置である。ここで、ＣＰＵ１４は本発明の制御部を構成し、デジタル信号処理部１０、メインメモリ１３の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、ＣＰＵ１４は、少なくとも、演算機能を備えた演算処理装置や、フラッシュメモリ等の記憶装置を備えている。
【００４２】
図１において、破線内が光ディスク装置１００であり、ＵＳＢコネクタ１９によりコンピュータ２０と外部接続できるようになっている。
【００４３】
光ディスク装置１００は、光ディスク１を駆動するスピンドルモータ３と、光ディスク１に対して記録および再生を行うピックアップユニット４を駆動するフィードモータ２と、フィードモータ２およびスピンドルモータ３を駆動制御するモータ駆動回路６を有している。ピックアップユニット４は、アクチュエータ駆動回路７で駆動される。モータ駆動回路６、アクチュエータ駆動回路７をサーボ制御するものがＣＤサーボプロセッサ９である。また、モータ駆動回路７に電力を供給するのが駆動系電源回路８である。
【００４４】
また、光ディスク装置１００は、記憶領域、記録制御、再生制御に必要な記憶領域として使用されるバッファメモリ１１と、制御プログラム、ならびに光ディスク記録装置のための記録制御プログラムを記憶したプログラム記憶エリアを有するメインメモリ１３と、論理判断や演算を行うＣＰＵ１４を有している。
【００４５】
光ディスク１とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果がバッファメモリ１１へ格納される。このバッファメモリ１１は記録データ、および復調したデータを一時記憶するためのメモリとして機能する。
【００４６】
ＵＳＢ変換ＩＣ１７は、受けたＡＴＡＰＩ信号をＵＳＢ信号１８へ変換し、ＵＳＢコネクタ１９を通し、ＵＳＢケーブルによって外部のコンピュータ２０と接続されデータの受け渡しを行う。ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）３０は、書き換え可能な不揮発メモリであり、コンピュータがＵＳＢ機器を識別するために使用される個々のＵＳＢ機器に固有のディスクリプタ情報が格納されている。
【００４７】
システムバス１５は、光ディスク装置１００内でのデータ転送用バスである。メインメモリ１３に記録されたプログラムにより、ＣＰＵ１４がデジタル信号処理部の制御を行う。デジタル系電源回路２６はＣＰＵ１４、デジタル信号処理部１０、メインメモリ１３等、デジタル信号処理部に対し各種の電圧を安定供給する。
【００４８】
これらの装置を動かす回路部分へ供給される電圧は、ＡＣアダプター２１でＡＣ１００Ｖから例えばＤＣ６Ｖへ変換され、ＤＣジャック２２より光ディスク装置１００へ供給される。電源起動回路２５はＵＳＢコネクタ１９の電源端子ＶＢＵＳ２４の電圧に連動し、光ディスク装置１００の駆動系電源回路８、デジタル系電源回路２６に電圧を供給するもので、ＵＳＢ電源のＯＮ／ＯＦＦに連動し自動的に光ディスク装置１００を起動及び終了させる。
【００４９】
以下、本発明のディスク装置の一例として光ディスク装置１００、電力伝達機能と信号伝達機能を兼ね備えた接続手段の一例としてＵＳＢ接続を用い、また電子機器の一例としてコンピュータ２０を用いて、ＵＳＢバスパワー診断手順について説明する。
【００５０】
ここで、コンピュータ２０によって行なわれるＵＳＢバスパワー診断は、ＵＳＢバスパワー診断に使用する目的で作られた所定の光ディスク１にあらかじめ記録されているコンピュータプログラムを光ディスク装置に対して実行することにより動作するものとする。
【００５１】
図２は、本発明の一実施の形態におけるＵＳＢバスパワー診断手順を示すフローチャートである。また、図３は、本発明の一実施の形態におけるＵＳＢバスパワー診断画面を示す図である。
【００５２】
使用者により、ＡＣアダプター２１が光ディスク装置１００に接続され、また専用ＵＳＢケーブル５１が光ディスク装置１００とコンピュータ２０の間に接続されて、コンピュータプログラムであるＵＳＢバスパワー診断ツールが実行される（Ｓ１０１）と、コンピュータ２０は、まず表示画面２０ａに初期画面を表示する（Ｓ１０２）。表示される画面は、図３に示すようなＵＳＢバスパワー診断画面であり、診断に際して必要な情報や使用者による操作が必要な項目やボタンなどを表示する。次に、コンピュータ２０は現在動作しているコンピュータのＯＳ（オペレーティング・システム）が、光ディスク装置１００の対応ＯＳに合致しているかの確認を行なう（Ｓ１０３）。もし、現在動作しているコンピュータのＯＳが、光ディスク装置１００の対応ＯＳと合致していなければ、コンピュータ２０は表示画面２０ａに該当するエラーメッセージを表示して（Ｓ１２１）、ＵＳＢバスパワー診断ツールを終了する（Ｓ１１４）。現在動作しているコンピュータのＯＳと光ディスク装置の対応ＯＳと合致していれば、コンピュータ２０は接続されている光ディスク装置１００がＵＳＢバスパワー診断ツールのテスト対象機器かどうかと接続されている台数の判断を行なう（Ｓ１０４）。もし、接続されている光ディスク装置１００がＵＳＢバスパワー診断ツールのテスト対象機器以外である場合や、ＵＳＢバスパワー診断ツールのテスト対象機器であっても接続されている台数が１台もないか、もしくは複数台接続されていた場合には、表示画面２０ａに該当するエラーメッセージを表示して（Ｓ１２１）、ＵＳＢバスパワー診断ツールを終了する（Ｓ１１４）。対象の光ディスク装置が１台のみ接続されていれば、表示画面２０ａに光ディスク装置１００の識別品番を表示する（Ｓ１０５）。
【００５３】
コンピュータ２０は光ディスク装置１００にあるＤＩＰ  ＳＷ（ディップスイッチ）などの切り替え手段の設定状況を読み取り、デフォルト位置であるかの確認を行なう。本実施の形態でのデフォルト位置は、バスパワーＨＩＧＨモードとした（Ｓ１０６）。もし、デフォルト位置で無い場合には、コンピュータ２０は表示画面２０ａに該当するエラーメッセージを表示して（Ｓ１２１）、バスパワー診断ツールを終了する（Ｓ１１４）。
【００５４】
光ディスク装置１００にあるＤＩＰ  ＳＷなどの切り替え手段の設定状況がデフォルト位置であった場合には、コンピュータ２０は光ディスク装置１００に対して光ディスク装置１００に取り付けられたメディアが所定の光ディスク１であるかの確認を行なう（Ｓ１０７）。
【００５５】
コンピュータ２０から出された命令は、専用ＵＳＢケーブル５１、ＵＳＢコネクタ１９、ＵＳＢ変換ＩＣ１７、インターフェース部１２、デジタル信号処理部１０を介して、ＣＰＵ１４へ伝えられる。命令を受け取ったＣＰＵ１４では、デジタル信号処理部１０、ＣＤサーボプロセッサ９を経由してスピンドルモータ３とフィードモータ２とアクチュエータ駆動回路７を動作させ、ピックアップユニット４、アナログ信号処理部５、ＣＤサーボプロセッサ９、デジタル信号処理部１０を経由して戻ってくる信号により光ディスク装置１００に取り付けられたメディアが所定の光ディスク１であるかの確認を行なう（Ｓ１０７）。ＵＳＢバスパワー診断に使用する光ディスク１は、ＵＳＢバスパワー診断に使用する目的で作られた所定の光ディスク１に限定されるものでは無いが、本実施の形態では、光ディスク装置１００の挙動をより正確に診断するために、メディアの種類や容量が明確である所定の光ディスク１を使用することとした。
【００５６】
ＵＳＢバスパワー診断に使用する光ディスク１であるかの確認が終わったら、ＣＰＵ１４はスピンドルモータ３とフィードモータ２とアクチュエータ駆動回路７の動作を停止させ、光ディスク１の回転を止め（Ｓ１０８）、その状況をデジタル信号処理部１０、インターフェース部１２、ＵＳＢ変換ＩＣ１７、ＵＳＢコネクタ１９を経由してコンピュータ２０に知らせる。
【００５７】
コンピュータ２０は、表示画面２０ａにＡＣアダプター２１を光ディスク装置１００の接続を外す内容の表示を行い、ＡＣアダプター２１の接続が外されるまで待つ（Ｓ１０９）。ＡＣアダプター２１が外されるか否かは、ベンダーコマンドを使って調べられ、ＡＣアダプター２１が外されたことを検出したら、表示画面２０ａに表示されているテストボタンをアクティブにしてクリックできるようにし（Ｓ１１０）、使用者によりテストボタンがクリックされる（Ｓ１１１）とＵＳＢバスパワー診断（メディアからの読み出し試験）が始まる（Ｓ１１２）。もし、途中で使用者によりテストボタンの代わりにキャンセルボタンがクリックされると、ＵＳＢバスパワー診断が始まることなく、表示画面２０ａに該当するエラーメッセージを表示して（Ｓ１２１）、バスパワー診断ツールを終了する（Ｓ１１４）。診断が終了すると、その結果を表示画面２０ａに表示し、使用者に知らせる（Ｓ１１３）。
【００５８】
次に、本発明のＵＳＢバスパワーの診断手順の詳細部分について説明する。
【００５９】
前述の内容と同様に、本発明のディスク装置の一例として光ディスク装置１００、電力伝達機能と信号伝達機能を兼ね備えた接続手段の一例としてＵＳＢ接続を用い、また電子機器の一例としてコンピュータ２０を用いて説明する。
【００６０】
ここで、コンピュータ２０によって行なわれるＵＳＢバスパワー診断は、ＵＳＢバスパワー診断に使用する目的で作られた所定の光ディスク１にあらかじめ記録されているコンピュータプログラムを光ディスク装置に対して実行することにより動作するものとする。
【００６１】
図４は、本発明の一実施の形態におけるＵＳＢパワー診断手順の詳細部分を示すフローチャートであり、図２のフローチャートに示す診断（メディアからの読み出し試験）（Ｓ１１２）の部分に相当する。
【００６２】
メディアからの読み出し試験は、まず、ＣＰＵ１４により動作モードＭが初期化される。動作モードＭとは、光ディスク装置１００の動作モードをパラメータ化したものであり、動作モードＭの初期化はＭ＝０とし（Ｓ３０１）、Ｍ＝０をＬＯＷモード、Ｍ＝１をＦＵＬＬモード、Ｍ＝２をＨＩＧＨモード、Ｍ＝３をＡＣ同等モードで動作するものとした（Ｓ３０２）。本実施の形態では、動作モードの設定値をＬＯＷモード、ＦＵＬＬモード、ＨＩＧＨモード、ＡＣ同等モードとしたが、光ディスク装置１００の消費電力により、このモードが異なるため、動作モードの設定はこの限りではない。
【００６３】
次に、ＣＰＵ１４は回転速度Ｓの初期化を行なう。回転速度Ｓとは、光ディスク装置１００の回転速度をパラメータ化したものであり、回転速度Ｓの初期化はＳ＝０とし（Ｓ３０３）、Ｓ＝０を４倍速、Ｓ＝１を８倍速、Ｓ＝２を１６倍速、Ｓ＝３を２４倍速で回転するものとした（Ｓ３０４）。本実施の形態では、回転速度の設定値を４倍速、８倍速、１６倍速、２４倍速としたが、光ディスク装置１００の対応可能な回転速度により、この数値が異なるため、回転速度の設定はこの限りではない。
【００６４】
次に、所定の光ディスク１からの読み取りを実行する（Ｓ３０５）。上述したように、ＵＳＢバスパワー診断に使用する光ディスク１は、ＵＳＢバスパワー診断に使用する目的で作られた所定の光ディスク１に限定されるものでは無いが、本実施の形態では、ＵＳＢ外付け光ディスク装置１００の挙動をより正確に診断するために、メディアの種類や容量が明確である所定の光ディスク１を使用することとした。所定の光ディスク１からの読み取りは、本実施の形態の場合、５箇所の読み取り領域に対し、各々１０秒のタイマーを設定し、各読み取り領域に対して１６ブロックを読み取る。
【００６５】
この時、光ディスク装置１００がコンピュータ２０からコンピュータ２０の許容範囲以上の電力供給を要求すると、コンピュータ２０は光ディスク装置１００を切断するため、１０秒以内に光ディスク１の情報の読み取りを行なうことができず、Ｔｉｍｅ  Ｏｕｔ  Ｅｒｒｏｒが発生する（Ｓ３０６）。もし、Ｔｉｍｅ  Ｏｕｔ  Ｅｒｒｏｒが発生した場合にはＵＳＢバスパワー診断を中止し、動作モードＭを元のＨＩＧＨモードに戻し（Ｓ３１３）、回転速度をバスパワー最高速に戻し（Ｓ３１４）、ＵＳＢバスパワーの診断処理を終了する（Ｓ３１５）。
【００６６】
Ｔｉｍｅ  Ｏｕｔ  Ｅｒｒｏｒが発生していなければ、回転速度ＳをＳ＋１とし（Ｓ３０７）、上述に規定したＳの値に従って回転速度を変更する（Ｓ３０８）。つまり、Ｓ＝０の場合は４倍速、Ｓ＝１の場合は８倍速、Ｓ＝２の場合は１６倍速、Ｓ＝３の場合は２４倍速に変更される。
【００６７】
そして、回転速度Ｓが３以上になる（Ｓ３０９）まで、光ディスク１からの読み取りを実行し（Ｓ３０５）、Ｔｉｍｅ  Ｏｕｔ  Ｅｒｒｏｒの確認し（Ｓ３０６）、回転速度ＳをＳ＋１とし（Ｓ３０７）、上述に規定したＳの値に従って回転速度を変更する（Ｓ３０８）過程を繰り返す。
【００６８】
動作モードＭが３以上になる（Ｓ３０９）と、動作モードＭをＭ＋１とし（Ｓ３１０）、上述に規定したＭの値に従って動作モードを変更する（Ｓ３１１）。つまり、Ｍ＝０の場合はＬＯＷモード、Ｍ＝１の場合はＦＵＬＬモード、Ｍ＝２の場合はＨＩＧＨモード、Ｍ＝３の場合はＡＣ同等モードに変更される。
【００６９】
そして、動作モードＭが３以上になる（Ｓ３１２）まで、回転速度の初期化（Ｓ３０３）から動作モードの判定（Ｓ３１２）までのステップを繰り返し、動作モードＭが３以上になると、動作モードＭを元のＨＩＧＨモードに戻し（Ｓ３１３）、回転速度をバスパワー最高速に戻し（Ｓ３１４）、ＵＳＢバスパワーの診断処理を終了する（Ｓ３１５）。
【００７０】
動作モードＭと回転速度Ｓの組み合わせによるＵＳＢパワー診断は、Ｍ＝０／Ｓ＝０、Ｍ＝０／Ｓ＝１、Ｍ＝０／Ｓ＝２、Ｍ＝０／Ｓ＝３、Ｍ＝１／Ｓ＝０、Ｍ＝１／Ｓ＝１、Ｍ＝１／Ｓ＝２、Ｍ＝１／Ｓ＝３、Ｍ＝２／Ｓ＝０、Ｍ＝２／Ｓ＝１、Ｍ＝２／Ｓ＝２、Ｍ＝２／Ｓ＝３、Ｍ＝３／Ｓ＝０、Ｍ＝３／Ｓ＝１、Ｍ＝３／Ｓ＝２、Ｍ＝３／Ｓ＝３の順に行なわれ、終了時の動作モードＭ及び回転速度Ｓは、上位モジュールへ引き継がれ使用者への適切なメッセージを作成するのに活用される。
【００７１】
次に、本発明の光ディスクからの読み取り方法の詳細について説明する。
【００７２】
図５は、本発明の一実施の形態における光ディスクからの読み取り方法を示すフローチャートであり、図４のフローチャートに示すＵＳＢパワー診断方法の（Ｓ３０５）に部分に相当する。
【００７３】
光ディスク装置にセットされた所定の光ディスク１の内周から外周にかけて均等に分割して、読み取り領域を５箇所設定する（Ｓ４０１）。本実施の形態では、分割して読み取るメディアをＵＳＢバスパワー診断に使用する目的で作られた所定の光ディスク１とし、読み取り領域を５箇所とし、各読み取り領域に対して１６ブロックを読み取ることとしたが、セットされるメディアはＵＳＢバスパワー診断に使用する目的で作られた所定の光ディスク１に限定されるものではなく、例えばメディアの種類や容量が明確であれば何でも良く、また、読み取り領域を５箇所とし、各読み取り領域に対して１６ブロックを読み取ることに限定されるものでは無く、例えば、読み取り領域は４箇所、６箇所でも良く、読み取るブロックは１５ブロック、１７ブロックでも良い。
【００７４】
次に、Ｔｉｍｅ  Ｏｕｔ  Ｅｒｒｏｒフラグをクリアする（Ｓ４０２）。ここで、Ｔｉｍｅ  Ｏｕｔ  Ｅｒｒｏｒフラグとは、コンピュータ２０から光ディスク装置１００へ送られてきたコマンドに対して一定時間内に光ディスク装置１００がコンピュータ２０に応答できるかを示すフラグである。
【００７５】
その後、読み取り領域Ｐのカウンタが初期化（Ｐ＝０）され（Ｓ４０３）、タイマーの設定を行ない（Ｓ４０４）、最初の読み取り領域から１６ブロックを読み取る（Ｓ４０５）。本実施の形態では、タイマーの設定を１０秒間とし、最初の読み取り領域から１６ブロックを読み取りすることとしたが、これに限定されるものでは無い。
【００７６】
次に、Ｔｉｍｅ  Ｏｕｔ  Ｅｒｒｏｒ判定を行なう（Ｓ４０６）。Ｔｉｍｅ  Ｏｕｔ  Ｅｒｒｏｒ判定は、光ディスク装置１００がコンピュータ２０からコンピュータ２０が供給できる許容範囲以上の電力供給を要求すると、コンピュータ２０は光ディスク装置１００を切断するため、１０秒以内に光ディスク１の情報の読み取りを行なうことができず、Ｔｉｍｅ  Ｏｕｔ  Ｅｒｒｏｒが発生することを利用して判定を行なう。Ｔｉｍｅ  Ｏｕｔ  Ｅｒｒｏｒが発生した場合には、Ｔｉｍｅ  Ｏｕｔ  Ｅｒｒｏｒフラグをセット（Ｓ４０８）し、光ディスク装置１００はスピンドルモータ３の回転を停止し（Ｓ４１０）、処理を終了する（Ｓ４１１）。また、Ｔｉｍｅ  Ｏｕｔ  Ｅｒｒｏｒが発生しない場合には、読み取り領域Ｐを変更（Ｐ＝Ｐ＋１）しながら（Ｓ４０７）、最後の読み取り領域Ｐまで各読み取り領域Ｐに対して１６ブロックの読み取りを繰り返し、読み取り領域５箇所全ての読み取り処理が正常に終了すると（Ｓ４０９）、光ディスク装置１００はスピンドルモータ３の回転を停止し（Ｓ４１０）、処理を終了する（Ｓ４１１）。
【００７７】
次に、本発明のＵＳＢバスパワー診断の動作原理について説明する。
【００７８】
図６は、本発明の一実施の形態におけるＵＳＢバスパワー診断の動作原理を示す図である。ここでの処理は、図４に示すフローチャートに基づいて行なわれ、光ディスク装置１００とコンピュータ２０を結ぶ接続手段は専用ＵＳＢケーブル５１である。
【００７９】
図６において、縦軸は光ディスク装置１００がコンピュータ２０から供給を受ける電力量を電流量として表したものである。また、横軸は時間軸であり、図４のフローチャートの手順に基づき、動作モードＭを０〜３の間で変化させ、また動作モードＭのそれぞれの値に対して回転速度Ｓを０〜３の間で変化させるため、合計２４回の駆動試験が行なわれる。このように、複数の電力供給モードで行なわれる駆動試験の１つの電力供給モードに対して、光ディスク装置１００が光ディスク１に対して、ディスク装置１００が動作可能な回転駆動手段の回転速度の少なくとも１つの駆動試験を行なうことによって、ディスク装置と他の電子機器を結ぶ電力伝達機能と信号伝達機能を兼ね備えた接続手段のうち使用可能な接続手段の決定を緻密に行なうことができる。但し、ディスク装置は光ディスク装置１００で、他の電子機器はコンピュータ２０に限定されるものではない。
【００８０】
また、上述したように、動作モードＭと回転速度Ｓは、光ディスク装置１００の対応可能な動作モード及び回転速度により、この数値が異なるため、動作モード及び回転速度を考慮して決定される駆動試験の回数は合計２４回に限定されるものではない。
【００８１】
ここでは、コンピュータ２０が光ディスク装置１００との接続を切断した駆動試験と使用可能な接続手段について、４つの例を示して説明する。
【００８２】
まず、最初に動作モードＭがＭ＝１で回転速度ＳがＳ＝０の時、つまり動作モードがＦＵＬＬモードで回転速度が４倍速の時に、コンピュータ２０が光ディスク装置１００との接続を切断した場合、切断時の電流値がＬＯＷモードで使用可能と判定するレベルの電流値に到達していないので、専用ＵＳＢケーブル５１によるＬＯＷモードでの使用は不可と判定し、また、切断時の電流値にコンバインＵＳＢケーブル５２を用いた場合の推定電流値を想定するために５００ｍＡを加算してもコンバインケーブルで使用可能と判定するレベルの電流値に到達しないので、コンバインＵＳＢケーブル５２を使用も不可と判定する。
【００８３】
２番目に、動作モードＭがＭ＝２で回転速度ＳがＳ＝０の時、つまり動作モードがＨｉｇｈモードで回転速度が４倍速の時に、コンピュータ２０が光ディスク装置１００との接続を切断した場合、切断時の電流値がＬＯＷモードで使用可能と判定するレベルの電流値に到達していないので、専用ＵＳＢケーブル５１によるＬＯＷモードでの使用は不可と判定するが、切断時の電流値にコンバインＵＳＢケーブル５２を用いた場合の推定電流値を想定するために５００ｍＡを加算するとコンバインケーブルで使用可能と判定するレベルの電流値に到達するので、コンバインＵＳＢケーブル５２の使用による光ディスク装置１００の動作は可能と判断する。
【００８４】
３番目に、動作モードＭがＭ＝３で回転速度ＳがＳ＝０の時、つまり動作モードがＡＣ同等モードで回転速度が４倍速の時に、コンピュータ２０が光ディスク装置１００との接続を切断した場合、切断時の電流値がＬＯＷモードで使用可能と判定するレベルの電流値に到達しているので、専用ＵＳＢケーブル５１によるＬＯＷモードでの使用は可能と判断し、また、切断時の電流値にコンバインＵＳＢケーブル５２を用いた場合の推定電流値を想定するために５００ｍＡを加算するとコンバインケーブルで使用可能と判定するレベルの電流値に到達するので、コンバインＵＳＢケーブル５２の使用による光ディスク装置１００の動作は可能と判断する。
【００８５】
最後に、動作モードＭ＝３で回転速度ＳがＳ＝３の時、つまり動作モードがＡＣ同等モードで回転速度が２４倍速の時に、コンピュータ２０が光ディスク装置１００との接続を切断した場合、切断時の電流値がＬＯＷモードで使用可能と判定するレベルの電流値とコンバインケーブルで使用可能なレベルの電流値の両方をクリアしているため、専用ＵＳＢケーブル５１での使用が可能と判定する。
【００８６】
なお、上述のＬＯＷモードで使用可能と判定するレベルやコンバインケーブルで使用可能と判定するレベルは、ＵＳＢバスパワー診断に用いた光ディスク１以外に不特定多数の光ディスク１の読み出しや光ディスク１への書き込みを考慮してある一定のマージンを設けることが好ましい。
【００８７】
このように、光ディスク装置１００とコンピュータ２０を結ぶ接続手段のうち使用可能な接続手段が、コンピュータ２０から供給される複数の電力供給モードで行なわれる駆動試験の際に、コンピュータ２０が光ディスク装置１００に供給する電力を切断した電力供給モードを検出して決定されることによって、本発明の光ディスク装置１００とコンピュータ２０を結ぶ接続手段のうち使用可能な接続手段の決定を容易に行なうことができる。但し、ディスク装置は光ディスク装置１００で、他の電子機器はコンピュータ２０に限定されるものではない。
【００８８】
次に、本発明のコンピュータプログラムについて説明する。
【００８９】
コンピュータ２０などの電子機器は、ＣＤ−ＲＯＭなどの光ディスクやＲＯＭ、ＲＡＭ等のコンピュータ読み取り可能な記録媒体（図示せず）に格納されたコンピュータプログラムを実行してディスク装置の電力供給診断方法を行なう。そのようなコンピュータプログラムは、例えば、図２、図４、図５に示すフローチャートに規定された処理を実行する命令を含んでいる。コンピュータプログラムは、光ディスクに代表される光記録媒体、ＳＤメモリカードに代表される半導体記憶媒体、フレキシブルディスクに代表される磁気記録媒体に記録することができる。なお、光ディスク装置１００は記録媒体を介してのみならず、インターネット等の電気通信回線を介してもコンピュータプログラムを取得することができる。本実施の形態では、使用者の利便性を考慮して診断を行なう光ディスク装置１００で利用可能なＣＤ−ＲＯＭに格納されたコンピュータプログラムを用いたが、これに限定されるものではない。
【００９０】
以上の内容により、ディスク装置と他の電子機器を結ぶ電力伝達機能と信号伝達機能を兼ね備えた接続手段のうち使用可能な接続手段を決定する際に、複数の接続手段を接続することなく、使用可能な接続手段を決定することができるため、複数の接続手段を接続し直す手間と複数の接続手段を準備するための余分な費用を抑えることが可能となる。
【００９１】
そのため、ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、使用者の利便性を高めたディスク装置の電力供給診断方法を実現することができる。
【００９２】
また、光ディスク装置１００とコンピュータ２０を結ぶ接続手段のうち使用可能な接続手段の決定が、電力伝達機能と信号伝達機能を兼ね備えた単一の接続手段を他の電子機器に１回のみ接続することで決定されることによって、複数の接続手段を接続し直す手間を省くことができる。
【００９３】
なお、本実施の形態では、コンピュータ２０によって行なわれるＵＳＢバスパワー診断は、ＵＳＢバスパワー診断に使用する目的で作られた所定の光ディスク１に記録されているディスク装置の電力供給診断方法に基づき動作することを基準に説明したが、本発明のディスク装置の電力供給診断方法は、ＵＳＢバスパワー診断に使用する目的で作られた所定の光ディスク１に記録されているものに限定されるものでは無く、例えば、光ディスク装置１００のメインメモリ１３やコンピュータ２０のメモリなどに記録されているものでも良い。
【００９４】
また、本実施の形態においては、ディスク装置の一例として光ディスク装置１００を用い、電力伝達機能と信号伝達機能を兼ね備えた接続手段の一例としてＵＳＢ接続を用い、また他の電子機器の一例としてコンピュータ２０を用いたが、他の電子機器は光ディスク装置１００に接続される電子機器もしくは光ディスク装置１００を内蔵した電子機器のいずれの場合でも良く、また光ディスク装置１００はＨＤＤ（Ｈａｒｄ  Ｄｉｓｋ  Ｄｒｉｖｅ）、ＦＤＤ（Ｆｌｏｐｐｙ（登録商標）  Ｄｉｓｋ  Ｄｒｉｖｅ）などのディスク装置に置き換わっても良く、光ディスク１は磁気ディスクに置き換わっても良い。ディスク装置が光ディスク装置であれば、本発明の効果を最大限に発揮することができる。
【００９５】
さらに、本実施の形態では、ディスク装置と他の電子機器を結ぶ接続手段をＵＳＢケーブルとし、接続手段により接続される他の電子機器をコンピュータとしたが、これらに限定されるものでは無く、例えば、ディスク装置と他の電子機器を結ぶ接続手段は、電力伝達機能と信号伝達機能を兼ね備えた接続手段であれば何でも良く、また、接続手段により接続される他の電子機器はディスク装置に電力を供給することができるものであれば何でも良い。
【産業上の利用可能性】
【００９６】
本発明は、ディスク装置と他の電子機器を結ぶ電力伝達機能と信号伝達機能を兼ね備えた接続手段のうち使用可能な接続手段を容易に決定することが可能となり、従来、無駄になっていた手間や費用を抑えることができ、記録媒体に情報の記録または再生の少なくとも一方を行うディスク装置の電力供給診断方法及び光ディスク装置などに適応可能である。
【図面の簡単な説明】
【００９７】
【図１】本発明の一実施の形態におけるＵＳＢ接続による外付けタイプの光ディスク装置のブロック図
【図２】本発明の一実施の形態におけるＵＳＢバスパワー診断手順を示すフローチャート
【図３】本発明の一実施の形態におけるＵＳＢバスパワー診断画面を示す図
【図４】本発明の一実施の形態におけるＵＳＢパワー診断手順の詳細部分を示すフローチャート
【図５】本発明の一実施の形態における光ディスクからの読み取り方法を示すフローチャート
【図６】本発明の一実施の形態におけるＵＳＢバスパワー診断の動作原理を示す図
【図７】従来のＵＳＢ接続による外付けタイプの光ディスク装置のブロック図
【図８】外付けタイプの光ディスク装置とコンピュータの接続を示す図
【符号の説明】
【００９８】
１    光ディスク
２    フィードモータ
３    スピンドルモータ
４    ピックアップユニット
５    アナログ信号処理部
６    モータ駆動回路
７    アクチュエータ駆動回路
８    駆動系電源回路
９    ＣＤサーボプロセッサ
１０    デジタル信号処理部
１１    バッファメモリ
１２    インターフェース部
１３    メインメモリ
１４    ＣＰＵ
１５    システムバス
１７    ＵＳＢ変換ＩＣ
１８    ＵＳＢ信号
１９    ＵＳＢコネクタ
２０    コンピュータ
２０ａ    表示画面
２１    ＡＣアダプター
２２    ＤＣジャック
２４    電源端子ＶＢＵＳ
２５    電源起動回路
２６    デジタル系電源回路
３０    ＥＥＰＲＯＭ
５１    ＵＳＢケーブル
５２    ＵＳＢケーブル
１００    光ディスク装置
【図１】
2006215607.tif 000003
【図２】
2006215607.tif 000004
【図３】
2006215607.tif 000005
【図４】
2006215607.tif 000006
【図５】
2006215607.tif 000007
【図６】
2006215607.tif 000008
【図７】
2006215607.tif 000009
【図８】
2006215607.tif 000010